(57)【特許請求の範囲】
【請求項１】
ねじ接続を形成するアセンブリであって、回転軸（１０）を有する第１，第２の管状コンポーネントを備え、各コンポーネントは、夫々前記コンポーネントのねじ端部が雄型であるか雌型であるかに応じて前記コンポーネントの内周表面または外周表面に第１の螺旋に従う少なくとも第１の連続ねじ領域（３、４）を前記第１および第２のコンポーネントの一方の端部（１、２）に備え、且つ組立時に協働し、前記端部（１、２）の前記第１のねじ領域（３、４）が、前記回転軸（１０）が通る縦断面にみられるように、可変幅の蟻継ぎねじプロファイルを有し、前記端部（１、２）が夫々端子表面（７、８）で終端し、前記端部（１、２）の少なくとも一方が前記ねじ領域と前記端子表面との間に設けられるリップを有し、前記リップは、前記接続が組立られた状態にあるとき、他方の端部に向くように配置された対応する封止表面（６）との封止締まりばめに協働することができる封止表面（５）を有し、前記リップ（１２）は、一方では前記ねじ領域に隣接し、他方では前記封止表面に隣接する溝（１１）によって中空にされ、前記溝の長さ（ＧＬ）は以下のように計算され、
0006473451.tif 000005
ＬＦＬはロードフランクのピッチの値であり、
ＳＦＬはスタビングフランクのピッチの値であり、
ＴＬはねじ長であり、
ＲＬＰは基準位置長さであり、
ｎはねじの螺旋の数である、ことを特徴とするねじ接続を形成するアセンブリ。
【請求項２】
パラメータＬＦＬ，ＳＦＬ，ＴＬ，ＲＰＬおよびｎの値が、
４ｍｍ＜ＬＦＬ＜２０ｍｍ、
４ｍｍ＜ＳＦＬ＜２０ｍｍ、
２０ｍｍ＜ＴＬ＜３００ｍｍ、
１０ｍｍ＜ＲＬＰ＜１５０ｍｍ、
１＜ｎ＜４、によって制限されることを特徴とする請求項１に記載のねじ接続を形成するアセンブリ。
【請求項３】
パラメータＬＦＬ，ＳＦＬ，ＴＬ，ＲＰＬおよびｎの値が、
１０ｍｍ＜ＬＦＬ＜１７ｍｍ、
１０ｍｍ＜ＳＦＬ＜１７ｍｍ、
４０ｍｍ＜ＴＬ＜１６０ｍｍ、
２０ｍｍ＜ＲＬＰ＜８０ｍｍ、
ｎ＝２、によって制限されることを特徴とする請求項２に記載のねじ接続を形成するアセンブリ。
【請求項４】
前記端部（１、２）の前記第１のねじ領域（３、４）が、可変幅の蟻継ぎねじプロファイルを有し、且つ自動ロック式であることを特徴とする請求項１に記載のねじ接続を形成するアセンブリ。
【請求項５】
前記端部（１、２）の前記第１のねじ領域（３、４）が、ＬＦＬ＝ＳＦＬ＝Ｐ（ねじのピッチ）であるように、略ゼロの可変幅の蟻継ぎねじプロファイルを有することを特徴とする請求項１に記載のねじ接続を形成するアセンブリ。
【請求項６】
前記回転軸（１０）が通る縦断面に見られるように、前記溝（１１）が、第１の傾斜部（１１ａ）を介して前記ねじ領域にリンクされ、且つ第２の傾斜部（１１ｃ）を介して前記封止表面を備える前記領域にリンクされた環状部分（１１ｂ）によって構成されることを特徴とする請求項１〜５の何れか１項に記載のねじ接続を形成するアセンブリ。
【請求項７】
前記溝（１１）の厚みが０．２〜２．５ｍｍの量（ｐ）だけ前記リップ（１２）の厚みより少ないことを特徴とする請求項６に記載のねじ接続を形成するアセンブリ。
【請求項８】
前記第１の傾斜部（１１ａ）が前記接続の前記回転軸（１０）に対して２０°〜７５°の範囲の角度αを形成することを特徴とする請求項６に記載のねじ接続を形成するアセンブリ。
【請求項９】
前記第２の傾斜部（１１ｃ）が前記接続の前記回転軸（１０）に対して５°〜９０°の範囲の角度βを形成することを特徴とする請求項６に記載のねじ接続を形成するアセンブリ。
【請求項１０】
前記リップの前記封止表面が０〜１００ｍｍの範囲の半径を有するドーム状表面であり、前記対応する封止表面の頂点半角に対する接線が０．０２５〜０．２５の範囲にあるテーパー状表面であることを特徴とする請求項１〜９の何れか１項に記載のねじ接続を形成するアセンブリ。
【請求項１１】
０．０５〜０．５ｍｍの範囲の半径ギャップＴＲＧが前記雄型ねじのクレストと前記雌型ねじのルートとの間に設けられることを特徴とする請求項１〜１０の何れか１項に記載のねじ接続を形成するアセンブリ。
【請求項１２】
前記ねじ領域が、１〜１５°の範囲、好ましくは５〜８°の範囲の負のスタビングフランク角度ＳＦＡを有することを特徴とする請求項１〜１１の何れか１項に記載のねじ接続を形成するアセンブリ。
【請求項１３】
前記ねじ領域が、１〜１５°の範囲、好ましくは５〜８°の範囲の負のロードフランク角度ＬＦＡを有することを特徴とする請求項１〜１２の何れか１項に記載のねじ接続を形成するアセンブリ。
【請求項１４】
各端部（１、２）のねじ領域が、５％〜２５％の範囲、好ましくは１０％〜１８％の範囲の傾斜を有する同じテーパー母線（９）に沿って延在することを特徴とする請求項１〜１３の何れか１項に記載のねじ接続を形成するアセンブリ。
【請求項１５】
前記管状コンポーネントの端部（１、２）の各々は、マルチスタートタイプの、もう一方の螺旋に生成された少なくとも第２の連続ねじ領域を備えることを特徴とする請求項１〜１４の何れか１項に記載のねじ接続を形成するアセンブリ。
【請求項１６】
請求項１〜１５の何れか１項に係るアセンブリを組立てることによるねじ接続。
【発明の詳細な説明】
【技術分野】
【０００１】
本発明は、炭化水素坑井を掘削および／または稼働するためのねじ接続に関し、より正確には、この接続が圧縮／引っ張り状態で働くとき、効率と封止（efficiency and seal）に関してその接続全体の性能を最適化することに関する。
【背景技術】
【０００２】
「ねじ接続」とは、炭化水素坑井を掘削するためのステム、または維持管理するための（ワークオーバーライザとしても知られた）ライザ、井戸の稼働に使用されるケーシングまたは管状ストリングの何れかを構成する目的で、組立てによって一体接続が可能な、実質的に管状で、金属の要素によって構成される任意のアセンブリを意味している。
【０００３】
各管状要素は、類似の要素の対応する端部と組み立てられるための雄型ねじ領域または雌型ねじ領域を設けた一端部を有している。組み立てられたとき、これらの要素は接続として知られるものを形成する。
【０００４】
接続用のそのような管状ねじコンポーネントは、稼働条件によって課される締まりばめおよびシーリング要件に応じるために、事前設定された負荷下で組み立てられる。また、管状ねじコンポーネントは、特に稼働中に幾つかの組立‐分解サイクルを受ける可能性があることに留意すべきである。
【０００５】
そのような管状ねじコンポーネントが使用される条件は、ねじ領域、当接領域または封止表面のような、これらのコンポーネントの傷付きやすい部分に働く機械的負荷の範囲拡張をもたらしている。
【０００６】
このため、接続の設計仕様は複雑であり、多数のパラメータを同時に考慮する必要がある。このように、接続の性能と、封止表面を支持する管状コンポーネントの領域の厚みが保たれ、且つ接続が圧縮／引っ張り状態で稼働するときに封止接触点が変位するリスクを最小することが望ましい。
【０００７】
一つの解決策が、ＷＯ２００８／１１０４９４号の書類に記述された接続を通して開発された。そのような接続の雄型および／または雌型端部は、封止表面の丁度前方のねじ切り解除部に配置される溝が設けられたリップを有している。その溝は、前記端部の厚みを減少するためと、同時にその溝の近傍の領域がその領域に対して発揮される圧力によって半径方向に変形されやすいように半径剛性を減少するために使用することができる。そして、これは封止表面間の接触が維持されることを意味している。
【０００８】
しかしながら、試験では、このタイプの溝の軸長は長すぎて、溝近傍の領域の半径変形が弾性領域をしばしば超えることを意味している。その領域の可塑化がかなりの頻度で生じ、リップの座屈となり、且つ封止表面での接触の喪失となる。
【発明の概要】
【発明が解決しようとする課題】
【０００９】
このため、本発明の目的は、接続が湾曲下で稼働するとき、または管状コンポーネントの端部が半径方向の圧力を受けるとき、端部近傍で座屈するリスクを防止することである。より詳細には、本発明は、半径方向の締まりばめねじを有する接続および蟻継ぎねじプロファイル（dovetail thread profile）を有する接続の場合に、溝の最大軸長を制限することに適用可能である。
【００１０】
更に詳しくは、本発明は、ねじ接続を形成するアセンブリであって、回転軸を有する第１，第２の管状コンポーネントを備え、各コンポーネントは、夫々前記コンポーネントのねじ端部が雄型であるか雌型であるかに応じて前記コンポーネントの内周表面または外周表面に第１の螺旋に従う少なくとも第１の連続ねじ領域を前記第１および第２のコンポーネントの一方の端部に備え、且つ組立時に協働し、前記端部の前記第１のねじ領域が、前記回転軸を通る縦断面に見られるように、可変幅の蟻継ぎねじプロファイルを有し、前記端部が夫々端子表面で終端し、前記端部の少なくとも一方が前記ねじ領域と前記端子表面との間に設けられるリップを有し、前記リップは、前記接続が組立られた状態にあるとき、他方の端部に向くように配置された対応する封止表面との封止締まりばめに協働することができる封止表面を有し、前記リップは、一方では前記ねじ領域に隣接し他方では前記封止表面に隣接する溝によって中空にされ、前記溝の長さ（ＧＬ）は以下のように計算され、
0006473451.tif 000002
ＬＦＬはロードフランクのピッチの値であり、
ＳＦＬはスタビングフランクのピッチの値であり、
ＴＬはねじ長であり、
ＲＬＰは基準位置長さであり、
ｎはねじの螺旋の数である。
【００１１】
本発明の選択的、補足的または実質的特徴は以下に設定される。
【００１２】
パラメータＬＦＬ，ＳＦＬ，ＴＬ，ＲＰＬおよびｎの値が、
４ｍｍ＜ＬＦＬ＜２０ｍｍ、
４ｍｍ＜ＳＦＬ＜２０ｍｍ、
２０ｍｍ＜ＴＬ＜３００ｍｍ、
１０ｍｍ＜ＲＬＰ＜１５０ｍｍ、
１＜ｎ＜４、によって制限される。
【００１３】
パラメータＬＦＬ，ＳＦＬ，ＴＬ，ＲＰＬおよびｎの値が、
１０ｍｍ＜ＬＦＬ＜１７ｍｍ、
１０ｍｍ＜ＳＦＬ＜１７ｍｍ、
４０ｍｍ＜ＴＬ＜１６０ｍｍ、
２０ｍｍ＜ＲＬＰ＜８０ｍｍ、
ｎ＝２、によって制限される。
【００１４】
前記端部の前記第１のねじ領域が、可変幅の蟻継ぎねじプロファイルを有し、且つ自動ロック式であってもよい。
【００１５】
前記端部の前記第１のねじ領域が、ＬＦＬ＝ＳＦＬ＝Ｐ（ねじのピッチ）であるように、略ゼロの可変幅の蟻継ぎねじプロファイルを有してもよい。
【００１６】
前記回転軸を通る縦断面に見られるように、前記溝が、第１の傾斜部を介して前記ねじ領域にリンクされ、且つ第２の傾斜部を介して前記封止表面を備える前記領域にリンクされた環状部分によって構成されてもよい。
【００１７】
前記溝の厚みが０．２〜２．５ｍｍの量（ｐ）だけ前記リップの厚みより少なくてもよい。
【００１８】
前記第１の傾斜部が前記接続の前記回転軸に対して２０°〜７５°の範囲の角度αを形成してもよい。
【００１９】
前記第２の傾斜部が前記接続の前記回転軸に対して５°〜９０°の範囲の角度βを形成してもよい。
【００２０】
前記リップの前記封止表面が３０〜１００ｍｍの範囲の半径を有するドーム状表面であり、前記対応する封止表面の頂点半角に対する接線が０．０２５〜０．２５の範囲にあるテーパー状表面、すなわち５％〜５０％の範囲のテーパーであってもよい。
【００２１】
０．０５〜０．５ｍｍの範囲の半径ギャップＴＲＧが前記雄型ねじのクレストと前記雌型ねじのルートとの間に設けられてもよい。
【００２２】
前記ねじ領域が、１〜１５°の範囲、好ましくは５〜８°の範囲の負のスタビングフランク角度ＳＦＡを有してもよい。
【００２３】
前記ねじ領域が、１〜１５°の範囲、好ましくは５〜８°の範囲の負のロードフランク角度ＬＦＡを有してもよい。
【００２４】
各端部のねじ領域が、５％〜２５％の範囲、好ましくは１０％〜１８％の範囲の傾斜を有する同じテーパー母線に沿って延在してもよい。
【００２５】
前記管状コンポーネントの端部の各々は、マルチスタートタイプの、もう一方の螺旋に生成された少なくとも第２の連続ねじ領域を備えてもよい。
【００２６】
また、本発明は、本発明に係るアセンブリを組立てることによるねじ接続に関する。
【００２７】
本発明の徴長と利点が、添付図面を参照して以下に詳細に説明される。
【図面の簡単な説明】
【００２８】
【図１】図１は、組立によって二つの管状コンポーネントを接続することから得られる本発明の一実施の形態に係る接続の縦断面図である。
【図２Ａ】図２Ａは、組立によって二つの管状コンポーネントを接続することから得られる本発明の一実施の形態に係る接続のねじ領域の細部の縦断面図である。
【図２Ｂ】図２Ｂは、組立によって二つの管状コンポーネントを接続することから得られる本発明の一実施の形態に係る接続のねじ領域の細部の縦断面図である。
【図３Ａ】図３Ａは、組立によって二つの管状コンポーネントを接続することから得られる本発明の他の一実施の形態に係る接続のねじ領域の細部の縦断面図である。
【図３Ｂ】図３Ｂは、組立によって二つの管状コンポーネントを接続することから得られる本発明の他の一実施の形態に係る接続のねじ領域の細部の縦断面図である。
【図４】図４は、本発明の詳細説明図である。
【発明を実施するための形態】
【００２９】
図１は、回転軸１０を有する第１，第２の管状コンポーネントを備えたねじ接続を形成するアセンブリを示している。これらのコンポーネントの内、一方のコンポーネントは、外周表面に作り出された第１の螺旋に従う第１の連続ねじ領域３を備えた雄型端部１として知られる端部を備えている。「連続ねじ領域」とは、そのねじ中にねじ領域の中断がないことを意味している。
【００３０】
一変形例では、端部１に、第２の螺旋に従う第２のねじ領域を設けることが可能であり、勿論、第１と第２のねじ領域が組立可能なように同位相であることを考慮している。
【００３１】
他方のコンポーネントは、そのコンポーネントの内周表面に生成され、且つ第１の螺旋に従う第１の連続ねじ領域４を設けた雌型端部２と呼ばれる端部を備えている。「連続ねじ領域」は、そのねじ中にねじ領域４の中断がないことを意味している。
【００３２】
一変形例では、端部２に、第２の螺旋に従う第２のねじ領域を設けることが可能であり、勿論、第１，第２のねじ領域が組立可能なように同位相であることを考慮している。
【００３３】
連続ねじ領域３，４は夫々組立において協働できる。
【００３４】
端部１，２は、端子表面７，８で夫々終端する。端子表面の各々は、組立中に他方の管状コンポーネントの端部に設けられる対応する当接表面に当接しても、当接しなくてもよい。
【００３５】
封止表面５は、リップ１２の雄型端部１に設けられ、前記リップは、一方ではねじ領域３によって、他方では端子表面７によって範囲が画定される端部１の周外表面の一部として画定される。封止表面５は、接続が組立られた状態にあるとき、雌型端部２に設けられる対応する封止表面６と封止締まりばめで協働できる。
【００３６】
図１は、前記端部の外径ＯＤｐと内径ＩＤｐの間の差によって画定されず、ねじ領域３の基部で、すなわち最後のねじで画定される、雄型端部１の臨界部（critical section）呼ばれる、雄型端部１の厚みｅｐも示している。同様に、雌型端部１の臨界部とも呼ばれる雌型端部２の厚みｅｂは、雌型端部の外径ＯＤｂと内径ＩＤｂの間の差によって画定されず、ねじ領域４の基部で、すなわち最後のねじで画定される。
【００３７】
このように、雄型端部の臨界部は、雄型端部１の厚みｅｐから画定され、且つ雌型端部の臨界部は、雌型端部２の厚みｅｂから画定され、実際に、前記臨界部は、厚みｅｐ，ｅｂを有する領域での雄型または雌型端部の断面によって作られる表面である。
【００３８】
このように、接続の性能は、雄型端部の臨界部と雌型端部の臨界部の間の最小値と管の通常セクションの間の比率に等しいように画定される。当然、管の通常セクションは、ねじ領域からある距離で測定されたねじコンポーネントの厚みから取られなければならない。したがって、この厚みは、雄型コンポーネントに対してと雌型コンポーネントに対して一定である。この厚みは、ＯＤｐとＩＤｐの間の差からのように、ＯＤｂ，ＩＤｂの間の差から等しく計算できる。接続の性能の概念は、接続の疲労強度にリンクされる。
【００３９】
本発明に従って且つ図２Ａ，２Ｂ，３Ａ，３Ｂに示されるように、ねじ領域３，４は、回転軸１０が通る縦断面で見られるように、「蟻継ぎ」ねじプロファイルを有している。これは、雄型ねじ領域３のねじ３４のスタビングフランク３５とロードフランク３６が負であることを暗示している。
【００４０】
同様に、雌型ねじ領域４のねじ４４のスタビングフランク４５とロードフランク４６もまた負である。この蟻継ぎプロファイルは、組み立てられた接続に負荷が加えられた状態にあるとき、またはそれが湾曲した状態で稼働するとき、ねじの飛び出しが回避できることを意味している。
【００４１】
本発明に従って且つ図３Ａ，３Ｂに示されるように、ねじ領域３，４は、「可変幅」のねじプロファイルを有している。このことは、雌型ねじフランク（または歯）４４と同様に、雄型ねじフランク（または歯）３４が同じピッチを有し、ねじの幅が夫々の端子表面の方向に減少することを意味している。
【００４２】
より正確には、雌型ねじ領域のロードフランク４６間のピッチＬＦＬは、雌型ねじ領域のスタビングフランク４５間のピッチＳＦＬの様に、一定であり、ロードフランク間のピッチがスタビングフランク間のピッチよりも大きい特定の特徴を有している。
【００４３】
同様に、雄型スタビングフランク３５間のピッチＳＦＬは、雌型ロードフランク３６間のピッチＬＦＬのように一定である。加えて、雄型スタビングフランク３５および雌型スタビングフランク４５の夫々のピッチＳＦＬは互いに等しく、且つ相互に等しい雄型ロードフランク３６と雌型ロードフランク４６の夫々のピッチＬＦＬよりも小さい。
【００４４】
従来通り、ねじの幅、例えばフランク間のピッチは、ねじの半分の高さで測定される。
【００４５】
変形例では、ねじ領域３，４が自動ロック式であっても、自動ロック式でなくてもよい。自動ロック式ねじの場合、雄型ねじ（または歯）と雌型ねじ（または歯）は、所定の位置で互いに組み合わさった端部でロックされることによって終わる。
【００４６】
自動ロック式でないねじの場合、接続は、ロードフランクおよび／またはスタビングフランクが接触状態にないように内部および／または外部当接部を備えてもよい。
【００４７】
本発明に従って、ねじ領域３と封止表面５の間のリップ１２に、短い長さＧＬを有する溝１１がある。「短い長さ」とは、溝１１が、以下のように決定される最大値を有するように、従来の技術に対して減少した長さで延在することを意味している。
0006473451.tif 000003
ここで、
ＬＦＬは、ロードフランクのピッチの値であり、
ＳＦＬは、スタビングフランクのピッチの値であり、
ＴＬは、ねじ長であり、
ＲＬＰは、基準位置長さであり、
ｎは、ねじ中の螺旋の数である。
定義によって、基準長さ位置ＲＬＰは、端子表面に最も近いねじとねじの谷がねじのクレストの幅と等しい、ねじの領域の間の距離である。
【００４８】
ねじ領域が機械加工できるように、溝１１は、以下のように決定される最小値を有している。
0006473451.tif 000004
【００４９】
図２Ａ，２Ｂに記述された本発明の特定の実施の形態において、ねじの幅のバラツキは略ゼロであり、それによってＬＦＬ，ＳＦＬは等しく、且つねじのピッチＰに対応している。したがって、溝１１の短い長さＧＬに対する関係は０．２Ｐ／ｎ＜ＧＬ＜Ｐ／ｎに単純化される。
【００５０】
有利には、パラメータＬＦＬ，ＳＦＬ，ＴＬ，ＲＰＬおよびｎの値が以下のように限定される。
４ｍｍ＜ＬＦＬ＜２０ｍｍ、
４ｍｍ＜ＳＦＬ＜２０ｍｍ、
２０ｍｍ＜ＴＬ＜３００ｍｍ、
１０ｍｍ＜ＲＬＰ＜１５０ｍｍ、および
１＜ｎ＜４である。
【００５１】
有利には、ねじ領域３，４が自動ロック式の場合、パラメータＬＦＬ，ＳＦＬ，ＴＬ，ＲＰＬおよびｎの値は、以下のように限定される。
１０ｍｍ＜ＬＦＬ＜１７ｍｍ、
１０ｍｍ＜ＳＦＬ＜１７ｍｍ、
４０ｍｍ＜ＴＬ＜１６０ｍｍ、
２０ｍｍ＜ＲＬＰ＜８０ｍｍ、および
ｎ＝２である。
【００５２】
有利には、回転軸１０が通る縦断面の図４に見られるように、溝１１は、第１の傾斜部１１ａを介してねじ領域にリンクされ、且つ第２の傾斜部１１ｃを介して封止表面を有する領域にリンクされた環状部１１ｂによって構成されている。この設計は、機械加工が比較的に単純であることを意味している。明らかなことは、種々の部分が一緒に、且つ例えば曲率半径を介して従来のようにねじ領域３と封止領域５にリンクされている。
【００５３】
リップ１２の塑性変形を回避するために、溝１１の厚みは０．２〜２．５ｍｍの厚みｐだけリップ１２の厚み未満である。
【００５４】
組立開始時に、雄型要素と雌型要素の係合を促進するために、第１の傾斜部１１ａは、接続の回転軸１０に対して２０°〜７５°の範囲の角度αを形成している。
【００５５】
溝１１の機械加工を促進するために、第２の傾斜部１１ｃは、接続の回転軸１０に対して５°〜９０°の範囲の角度βを形成している。
【００５６】
有利には、締まりばめで封止するために協働する封止表面は、トーラスオンコーン（円錐体上の環状体）接触を形成している。実際、「点」接触として知られているこのタイプの接触はより安定している。
【００５７】
有利には、トロイド表面は、好ましくは３０〜１００ｍｍの範囲の半径Ｒのドーム状トロイド凸表面である。半径が大きすぎる場合、すなわち１００ｍｍを越える場合には、トロイド表面に対してコーンオンコーン接触の場合と同一の不利益を引き起こす。半径が小さすぎる場合、すなわち３０ｍｍ未満の場合には、接触幅が不十分となる。
【００５８】
トロイド封止表面に向かって、テーパー状封止表面は、接続の回転軸１０に関して角度を形成するテーパー母線によって支持され、その角度の頂点半角に対する接線が５％〜５０％の範囲のテーパーに対応する０．０２５〜０．２５の範囲にある。
【００５９】
有利には、図３Ａ，３Ｂに示されるように、蟻継ぎとして形成された可変幅のねじプロファイルを有する連続ねじ領域は、０．０５〜０．５ｍｍの範囲でねじクレスト（ねじ頂部）とねじルート（ねじ底）との間の半径ギャップＴＲＧを有することができる。このように、このギャップは、雄型ねじクレスト３７と雌型ねじルート４７との間に設けられる。そのギャップは、雌型ねじクレストと雄型ねじルートとの間であってもよい。このように、組立中にグリースを集めることができ、且つ過剰な圧力の領域を回避できる自由容量が提供される。
【００６０】
また、ねじクレストとねじルートとの間の半径ギャップＴＲＧは、図２Ａ，２Ｂに示されるように、ねじが一定幅を有する場合にも適用可能であることに留意すべきである。
【００６１】
ねじクレストとねじルートとの間の半径ギャップは、０．１〜０．３ｍｍの範囲にあることが好ましい。この値は、接続性能に影響を及ぼすことなくグリースを格納するのに十分な自由容量があることを意味している。
【００６２】
有利には、圧力負荷中にねじ領域で半径ギャップを最小にするために、ねじ領域は、１〜１５°の範囲、好ましくは５〜８°の範囲で負のスタビングフランク角度ＳＦＡを有している。
【００６３】
有利には、圧力負荷中にねじ領域で半径ギャップを最小にするために、ねじ領域は、１〜１５°の範囲、好ましくは５〜８°の範囲で負のロードフランク角度ＬＦＡを有している。
【００６４】
有利には、組立開始時に雄型要素と雌型要素の係合を促進するために、各端部１，２のねじ領域が５％〜２５％の範囲、好ましくは１０％〜１８％の範囲の傾斜を有する同じテーパー母線９に沿って延在している。
【００６５】
本発明は、連結タイプ、面一タイプまたは半面一タイプのものである接続の任意のタイプにも適する。
【００６６】
明らかに、本発明は、雌型端部のみが本発明に係る溝を有する封止表面を有するリップを有し、且つ雄型端部がそれを備えない構成を有している。
【００６７】
明らかに、本発明は、雄型および雌型端部のみが同じ螺旋に配置された複数の連続ねじ領域を備え、且つ単独の連続ねじ領域を備えない構成を有している。
【００６８】
また、本発明は、雄型端部に加えて雌型端部も、本発明に係る溝を有する封止表面を設けたリップを備える構成を有している。
【００６９】
このタイプのねじは、蟻継ぎねじプロファイルを有する接続のリップを補強し、且つそのリップの半径剛性のより良好な制御を確保するために使用できる。
【図１】
0006473451.tif 000006
【図２Ａ】
0006473451.tif 000007
【図２Ｂ】
0006473451.tif 000008
【図３Ａ】
0006473451.tif 000009
【図３Ｂ】
0006473451.tif 000010
【図４】
0006473451.tif 000011